(57)【特許請求の範囲】
【請求項１】
広告媒体に印刷された商品の広告情報（以下、「商品広告情報」という。）が記憶された２次元コードと、該２次元コードの読み取り手段が内蔵されたユーザーの携帯通信端末と、データベースを有するサーバーとが通信ネットワークを介して相互に通信可能に接続され、
前記サーバーが前記ユーザーの指定するＰＣメールアドレスに、前記商品のＷｅｂページのＵＲＬ情報を記載した前記ユーザー専用のＷｅｂページのＵＲＬ情報をメール送信するＵＲＬ情報提供システムであって、
前記商品広告情報は、少なくとも前記商品を識別する商品コードと前記サーバーのＵＲＬ情報とを含むものであり、
前記データベースには、前記携帯通信端末固有の機体番号と前記ユーザーの会員ＩＤとＰＣメールアドレスとが関連付けられてテーブル化されたユーザー登録データと、前記商品コードと前記商品のＷｅｂページのＵＲＬ情報とが関連付けられてテーブル化された商品情報データとが格納されており、
前記サーバーは、前記携帯通信端末から送信された前記サーバーのＵＲＬ情報から前記商品コードを抽出する商品コード抽出手段と、該抽出された商品コードをキーとして前記商品情報データを検索して前記商品ＷｅｂページのＵＲＬ情報を取り出すとともに前記携帯通信端末から送られた前記機体番号をキーとして前記ユーザー登録データを検索して前記ユーザーのＰＣメールアドレスを取り出す検索手段と、前記取り出された前記商品ＷｅｂページのＵＲＬ情報を前記ユーザー専用のＷｅｂページに書き込み、記憶手段に記憶させるユーザーＷｅｂページ作成／更新手段と、前記ユーザー専用のＷｅｂページのＵＲＬ情報を前記ＰＣメールアドレスにメール送信するメール送信手段を備え、
前記機体番号と関連付けられたＰＣメールアドレスが存在しない場合には、ＰＣメールアドレスの新規登録を促す信号を前記携帯通信端末に送信し、前記携帯通信端末からＰＣメールアドレスが入力されて送信されると、それを受信して前記機体番号及び新たに発行した会員ＩＤと関連付けて前記データベース内のユーザー登録データに登録するメールアドレス登録手段をさらに備えるとともに、
前記ユーザーＷｅｂページ作成／更新手段が、前記ユーザー専用のＷｅｂページを新規に作成して前記記憶手段に記憶させることを特徴とするＵＲＬ情報提供システム。
【請求項２】
広告媒体に印刷された商品の広告情報（以下、「商品広告情報」という。）が記憶された２次元コードと、該２次元コードの読み取り手段が内蔵されたユーザーの携帯通信端末と、データベースを有するサーバーとが通信ネットワークを介して相互に通信可能に接続され、
前記サーバーが前記ユーザーの指定するＰＣメールアドレスに、前記商品のＷｅｂページのＵＲＬ情報を記載した前記ユーザー専用のＷｅｂページのＵＲＬ情報をメール送信するＵＲＬ情報提供システムであって、
前記商品広告情報は、少なくとも前記商品を識別する商品コードと前記サーバーのメールアドレスとを含むものであり、
前記データベースには、前記携帯通信端末の携帯メールアドレスと前記ユーザーの会員ＩＤとＰＣメールアドレスとが関連付けられてテーブル化されたユーザー登録データと、前記商品コードと前記商品のＷｅｂページのＵＲＬ情報とが関連付けられてテーブル化された商品情報データとが格納されており、
前記サーバーは、前記携帯通信端末から送信されたメールの送信先アドレス又は本文から前記商品コードを抽出する商品コード抽出手段と、該抽出された商品コードをキーとして前記商品情報データを検索して前記商品ＷｅｂページのＵＲＬ情報を取り出すとともに前記携帯通信端末から送られたメールの送信元アドレスである前記携帯通信端末の携帯メールアドレスをキーとして前記ユーザー登録データを検索して前記ユーザーのＰＣメールアドレスを取り出す検索手段と、前記取り出された前記商品ＷｅｂページのＵＲＬ情報を前記ユーザー専用のＷｅｂページに書き込み、記憶手段に記憶させるユーザーＷｅｂページ作成／更新手段と、前記ユーザー専用のＷｅｂページのＵＲＬ情報を前記ＰＣメールアドレスにメール送信するメール送信手段を備え、
前記携帯メールアドレスと関連付けられたＰＣメールアドレスが存在しない場合には、ＰＣメールアドレスの新規登録を促す信号を前記携帯通信端末に送信し、前記携帯通信端末からＰＣメールアドレスが入力されて送信されると、それを受信して前記携帯メールアドレス及び新たに発行した会員ＩＤと関連付けて前記データベース内のユーザー登録データに登録するメールアドレス登録手段をさらに備えるとともに、
前記ユーザーＷｅｂページ作成／更新手段が、前記ユーザー専用のＷｅｂページを新規に作成して前記記憶手段に記憶させることを特徴とするＵＲＬ情報提供システム。
【請求項３】
広告媒体に印刷された商品の広告情報（以下、「商品広告情報」という。）が記憶された２次元コードと、該２次元コードの読み取り手段が内蔵されたユーザーの携帯通信端末と、データベースを有するサーバーとが通信ネットワークを介して相互に通信可能に接続され、
前記サーバーが前記ユーザーの前記携帯通信端末の携帯メールアドレスに、前記商品のＷｅｂページのＵＲＬ情報を記載した前記ユーザー専用のＷｅｂページのＵＲＬ情報をメール送信するＵＲＬ情報提供システムであって、
前記商品広告情報は、少なくとも前記商品を識別する商品コードと前記サーバーのメールアドレスとを含むものであり、
前記データベースには、前記携帯通信端末の携帯メールアドレスと前記ユーザーの会員ＩＤとが関連付けられてテーブル化されたユーザー登録データと、前記商品コードと前記商品のＷｅｂページのＵＲＬ情報とが関連付けられてテーブル化された商品情報データとが格納されており、
前記サーバーは、前記携帯通信端末から送信されたメールの送信先アドレス又は本文から前記商品コードを抽出する商品コード抽出手段と、該抽出された商品コードをキーとして前記商品情報データを検索して前記商品ＷｅｂページのＵＲＬ情報を取り出す検索手段と、前記取り出された前記商品ＷｅｂページのＵＲＬ情報を前記ユーザー専用のＷｅｂページに書き込み、記憶手段に記憶させるユーザーＷｅｂページ作成／更新手段と、前記ユーザー専用のＷｅｂページのＵＲＬ情報を前記携帯メールアドレスにメール送信するメール送信手段を備え、
前記携帯メールアドレスがデータベース内に存在しない場合は、前記携帯メールアドレスと新たに発行した会員ＩＤとを関連付けて前記データベース内のユーザー登録データに登録するメールアドレス登録手段をさらに備えるとともに、
前記ユーザーＷｅｂページ作成／更新手段が、前記ユーザー専用のＷｅｂページを新規に作成して前記記憶手段に記憶させることを特徴とするＵＲＬ情報提供システム。
【請求項４】
前記ユーザー専用のＷｅｂページのＵＲＬ情報は、前記機体番号を一部に含むことを特徴とする請求項１に記載のＵＲＬ情報提供システム。
【請求項５】
前記ユーザー専用のＷｅｂページのＵＲＬ情報は、前記会員ＩＤを一部に含むことを特徴とする請求項１乃至３のいずれかに記載のＵＲＬ情報提供システム。
【請求項６】
前記２次元コードの読み取り手段が内蔵された携帯通信端末は、２次元コード読み取るためのカメラと、該カメラで撮像した画像を解析して前記２次元コードに含まれる商品広告情報を抽出するコード解析手段を有する携帯電話機である、請求項１乃至５のいずれかに記載のＵＲＬ情報提供システム。
【請求項７】
前記データベースの商品情報データには、前記商品の商品詳細情報が前記商品コードと関連付けられて記憶されている請求項１乃至６のいずれかに記載のＵＲＬ情報提供システム。
【請求項８】
前記２次元コードがＱＲコードである請求項１乃至７のいずれかに記載のＵＲＬ情報提供システム。
【発明の詳細な説明】
【技術分野】
【０００１】
本発明は、ＵＲＬ情報提供システムに関するものであり、特に、ユーザーが広告チラシ等に印刷された２次元コードを携帯電話機で読み取り、そのコード情報をサーバーに送ると、サーバーが２次元コードに含まれる商品識別情報（商品コード）に基づいてその商品のＷｅｂページのＵＲＬ情報を検索抽出し、それをユーザーに知らせることにより、ユーザーが自分のパソコンで商品のＷｅｂページの閲覧ができるようにした、ＵＲＬ情報提供システムに関するものである。
【背景技術】
【０００２】
近年、雑誌の広告掲載ページや新聞の折込チラシ（家電製品や不動産情報など）に広告主や商品紹介のＷｅｂページのＵＲＬ（Uniform  Resource  Locator）を記載して、さらに詳しい情報の入手が可能となるようにしている。
しかし、このようなＵＲＬは、例えば「_」（アンダーバー）や「〜」（チルダ）など、普段はあまり使用しないような記号を用いている場合があり、入力作業が煩雑であり、入力ミスも犯しやすい。特に、高齢者にとっては尚更である。
そこで、かかるＵＲＬの入力を不要とし、利用者が広告に掲載された商品或いはサービスに関する情報を簡単に入手することを可能とする情報提供サービスが提案されている（特許文献１参照）。
【０００３】
これを簡単に説明すると、広告媒体（例えば雑誌広告ページ）に商品等の内容を詳しく説明するＷｅｂページへの接続情報（ＷｅｂページのＵＲＬ）を示す２次元コード（例えばＱＲコード、図１２参照）を商品と共に印刷しておき、利用者がカメラ付き携帯電話機のカメラでコードを読み取ると、ＵＲＬ情報が携帯電話機に取り込まれ、利用者がその携帯電話機で前記ＵＲＬにアクセスすると、商品Ｗｅｂページに接続され、詳しい商品情報がその携帯電話機の画面に表示されるというものである。
【特許文献１】特開２００２−１１１９０９号公報
【発明の開示】
【発明が解決しようとする課題】
【０００４】
しかしながら、かかるシステムには以下のような問題がある。
(1)商品の詳しい説明を表示させるのには、携帯電話機の画面では小さすぎるので、掲載される情報が制限される。例えば、アパート・マンション等の間取り情報や室内の様子等を撮影した画像情報（動画も含む）などは、（パソコン等の）大きなディスプレイで表示させるのに適している。
従って、広告に印刷された２次元コードを携帯電話機で読み取ったとしても、その読み取ったＵＲＬ情報を、パソコンのメールアドレスに転送されるようにするのが好ましい。
(2)しかしながら、携帯電話機の中にそのような転送を直接に行うソフトウェアを組み込むためには、携帯電話システムを運営する事業者ごとに適合するＯＳを用いたソフトウェアを開発する必要があり、開発コストが事業者の数だけ増えることになる。
【０００５】
本発明は上述のような事情に鑑み為されたものであり、本発明は、ユーザーが広告チラシ等に印刷された２次元コードを携帯電話機で読み取り、そのコード情報をサーバーに送ると、サーバーが２次元コードに含まれる商品識別情報（商品コード）に基づいてその商品のＷｅｂページのＵＲＬ情報を検索抽出し、それをユーザーに知らせることにより、ユーザーが自分のパソコンで商品のＷｅｂページの閲覧ができるようにした、ＵＲＬ情報提供システムを提供することを目的とするものである。
【課題を解決するための手段】
【０００６】
本発明は、広告媒体に印刷された商品の広告情報（以下、「商品広告情報」という。）が記憶された２次元コードと、該２次元コードの読み取り手段が内蔵されたユーザーの携帯通信端末と、データベースを有するサーバーとが通信ネットワークを介して相互に通信可能に接続され、前記サーバーが前記ユーザーの指定するＰＣメールアドレスに、前記商品のＷｅｂページのＵＲＬ情報を記載した前記ユーザー専用のＷｅｂページのＵＲＬ情報をメール送信するＵＲＬ情報提供システムに関し、本発明の上記目的は、
前記商品広告情報は、少なくとも前記商品を識別する商品コードと前記サーバーのＵＲＬ情報とを含むものであり、
前記データベースには、前記携帯通信端末固有の機体番号と前記ユーザーの会員ＩＤとＰＣメールアドレスとが関連付けられてテーブル化されたユーザー登録データと、前記商品コードと前記商品のＷｅｂページのＵＲＬ情報とが関連付けられてテーブル化された商品情報データとが格納されており、
前記サーバーは、前記携帯通信端末から送信された前記サーバーのＵＲＬ情報から前記商品コードを抽出する商品コード抽出手段と、該抽出された商品コードをキーとして前記商品情報データを検索して前記商品ＷｅｂページのＵＲＬ情報を取り出すとともに前記携帯通信端末から送られた前記機体番号をキーとして前記ユーザー登録データを検索して前記ユーザーのＰＣメールアドレスを取り出す検索手段と、前記取り出された前記商品ＷｅｂページのＵＲＬ情報を前記ユーザー専用のＷｅｂページに書き込み、記憶手段に記憶させるユーザーＷｅｂページ作成／更新手段と、前記ユーザー専用のＷｅｂページのＵＲＬ情報を前記ＰＣメールアドレスにメール送信するメール送信手段を備え、
前記機体番号と関連付けられたＰＣメールアドレスが存在しない場合には、ＰＣメールアドレスの新規登録を促す信号を前記携帯通信端末に送信し、前記携帯通信端末からＰＣメールアドレスが入力されて送信されると、それを受信して前記機体番号及び新たに発行した会員ＩＤと関連付けて前記データベース内のユーザー登録データに登録するメールアドレス登録手段をさらに備えるとともに、前記ユーザーＷｅｂページ作成／更新手段が前記ユーザー専用のＷｅｂページを新規に作成して前記記憶手段に記憶させることを特徴とするＵＲＬ情報提供システムによって達成される。
【０００７】
また、本発明は、広告媒体に印刷された商品の広告情報（以下、「商品広告情報」という。）が記憶された２次元コードと、該２次元コードの読み取り手段が内蔵されたユーザーの携帯通信端末と、データベースを有するサーバーとが通信ネットワークを介して相互に通信可能に接続され、前記サーバーが前記ユーザーの指定するＰＣメールアドレスに、前記商品のＷｅｂページのＵＲＬ情報を記載した前記ユーザー専用のＷｅｂページのＵＲＬ情報をメール送信するＵＲＬ情報提供システムに関し、本発明の上記目的は、
前記商品広告情報は、少なくとも前記商品を識別する商品コードと前記サーバーのメールアドレスとを含むものであり、
前記データベースには、前記携帯通信端末の携帯メールアドレスと前記ユーザーの会員ＩＤとＰＣメールアドレスとが関連付けられてテーブル化されたユーザー登録データと、前記商品コードと前記商品のＷｅｂページのＵＲＬ情報とが関連付けられてテーブル化された商品情報データとが格納されており、
前記サーバーは、前記携帯通信端末から送信されたメールの送信先アドレス又は本文から前記商品コードを抽出する商品コード抽出手段と、該抽出された商品コードをキーとして前記商品情報データを検索して前記商品ＷｅｂページのＵＲＬ情報を取り出すとともに前記携帯通信端末から送られたメールの送信元アドレスである前記携帯通信端末の携帯メールアドレスをキーとして前記ユーザー登録データを検索して前記ユーザーのＰＣメールアドレスを取り出す検索手段と、前記取り出された前記商品ＷｅｂページのＵＲＬ情報を前記ユーザー専用のＷｅｂページに書き込み、記憶手段に記憶させるユーザーＷｅｂページ作成／更新手段と、前記ユーザー専用のＷｅｂページのＵＲＬ情報を前記ＰＣメールアドレスにメール送信するメール送信手段を備え、
前記携帯メールアドレスと関連付けられたＰＣメールアドレスが存在しない場合には、ＰＣメールアドレスの新規登録を促す信号を前記携帯通信端末に送信し、前記携帯通信端末からＰＣメールアドレスが入力されて送信されると、それを受信して前記携帯メールアドレス及び新たに発行した会員ＩＤと関連付けて前記データベース内のユーザー登録データに登録するメールアドレス登録手段をさらに備えるとともに、
前記ユーザーＷｅｂページ作成／更新手段が、前記ユーザー専用のＷｅｂページを新規に作成して前記記憶手段に記憶させることを特徴とするＵＲＬ情報提供システムによって達成される。
【０００８】
さらに、本発明は、広告媒体に印刷された商品の広告情報（以下、「商品広告情報」という。）が記憶された２次元コードと、該２次元コードの読み取り手段が内蔵されたユーザーの携帯通信端末と、データベースを有するサーバーとが通信ネットワークを介して相互に通信可能に接続され、前記サーバーが前記ユーザーの前記携帯通信端末の携帯メールアドレスに、前記商品のＷｅｂページのＵＲＬ情報を記載した前記ユーザー専用のＷｅｂページのＵＲＬ情報をメール送信するＵＲＬ情報提供システムに関し、本発明の上記目的は、
前記商品広告情報は、少なくとも前記商品を識別する商品コードと前記サーバーのメールアドレスとを含むものであり、
前記データベースには、前記携帯通信端末の携帯メールアドレスと前記ユーザーの会員ＩＤとが関連付けられてテーブル化されたユーザー登録データと、前記商品コードと前記商品のＷｅｂページのＵＲＬ情報とが関連付けられてテーブル化された商品情報データとが格納されており、
前記サーバーは、前記携帯通信端末から送信されたメールの送信先アドレス又は本文から前記商品コードを抽出する商品コード抽出手段と、該抽出された商品コードをキーとして前記商品情報データを検索して前記商品ＷｅｂページのＵＲＬ情報を取り出す検索手段と、前記取り出された前記商品ＷｅｂページのＵＲＬ情報を前記ユーザー専用のＷｅｂページに書き込み、記憶手段に記憶させるユーザーＷｅｂページ作成／更新手段と、前記ユーザー専用のＷｅｂページのＵＲＬ情報を前記携帯メールアドレスにメール送信するメール送信手段を備え、
前記携帯メールアドレスがデータベース内に存在しない場合は、前記携帯メールアドレスと新たに発行した会員ＩＤとを関連付けて前記データベース内のユーザー登録データに登録するメールアドレス登録手段をさらに備えるとともに、前記ユーザーＷｅｂページ作成／更新手段が前記ユーザー専用のＷｅｂページを新規に作成して前記記憶手段に記憶させることを特徴とするＵＲＬ情報提供システムによって達成される。
【発明の効果】
【０００９】
本発明に係るＵＲＬ情報提供システムによれば、ユーザーはカメラ付きの携帯電話機でチラシ等に印刷された２次元コードを読み取り、簡単な操作で指定されたサーバーにアクセスして商品コードを送信するだけで、当該商品コードに対応した商品ＷｅｂページのＵＲＬ情報が記載された自分専用のＷｅｂページが作成され、そのＷｅｂページのＵＲＬ情報が送られてくるので、パソコンからそのＷｅｂページにアクセスし、そこに記載されている商品ＷｅｂページのＵＲＬをクリックするだけで、商品の詳細な情報を自分のパソコンで閲覧することが可能となる。
さらに、これに加えて、自分のアクセスした商品ＷｅｂページのＵＲＬ情報のすべてが自分の専用Ｗｅｂページに掲載されているので、今までの履歴を見ることが可能となる。
サーバー側から見れば、ユーザーに送信する情報はユーザー専用のＷｅｂページのＵＲＬ情報であるため、常に同じものであり、送信するメールの内容は送信のたびに更新する必要がなくなるので、システムを簡単にできるというメリットがある。
また、ユーザー側から見ると、自分の専用Ｗｅｂページにアクセスした商品ＵＲＬ情報がすべて記載されているため、個別の商品Ｗｅｂページをお気に入りに登録する必要がなく、自分の専用Ｗｅｂページを１回登録するだけでよいというメリットがある。
【００１０】
また、２次元コードに記憶させる情報がサーバーのＵＲＬ情報又はメールアドレス情報であるため、携帯電話のＯＳの違いに左右されない。このことはシステムの導入コストを低く抑えられることを意味する。従って、幅広いユーザーの利用が可能となる。
【発明を実施するための最良の形態】
【００１１】
図１は本発明に係るＵＲＬ情報提供システムの構成を示す概略図であり、広告チラシ等に印刷された２次元コード（我が国では図１２に示すＱＲコードがもっとも普及しており、これを用いるのが好ましいが、他の方式の２次元コードでも理論的には可能である。）を読み取る読み取り手段が内蔵された携帯電話機１とデータベース４を有するサーバー３とが通信ネットワーク５を介して相互に通信可能に接続されている。そして、サーバー３からユーザーのパソコン６のＰＣメールアドレスに、商品ＷｅｂページのＵＲＬ情報が記載されたユーザー専用ＷｅｂページのＵＲＬ情報がメール送信され、ユーザーがパソコン６から自分の専用Ｗｅｂページにアクセスして、そのページに記載されている商品ＷｅｂページのＵＲＬ情報をクリックして商品Ｗｅｂページにアクセスすることができるようになっている。
なお、携帯電話機１に内蔵されている読み取り手段は、２次元コードの画像を撮像するＣＣＤカメラと、読み取った画像を解析してデータを取り出す解析ソフト（携帯電話の事業者ごとに異なるＯＳによって作成され、製造時にファームウェアとして電話機本体に組み込まれているのが一般的である。）から成る。また、携帯電話通信システムとは携帯電話事業者ごとに設置運営されるアンテナ、基地局、通信ネットワーク５への接続を行うサーバー等で構成されるものであり、既存のシステムが利用できる。
【００１２】
図２はサーバー３の構成を示すブロック図である。サーバー３は、携帯電話機１から送信されたサーバー３のＵＲＬ情報またはメールアドレス情報（データ形式の詳細は後述する。）から２次元コードが付された商品の商品コードを抽出する商品コード抽出手段３１と、抽出された商品コードをキーとしてデータベース４内を検索して商品ＷｅｂページのＵＲＬ情報を取り出すとともに、携帯電話機１から送られた機体番号又は携帯メールアドレス（発信者アドレスとしてメールに自動挿入されたもの）をキーとしてデータベース４内を検索してユーザーの会員ＩＤ又はＰＣメールアドレスを取り出す検索手段３２と、取り出された商品ＷｅｂページのＵＲＬ情報をユーザー専用のＷｅｂページに書き込むユーザーＷｅｂページ作成／更新手段３３を備えている。
また、ユーザーが本システムを初めて利用した場合は機体番号または携帯メールアドレスと関連付けられたＰＣメールアドレスがデータベース４内に存在していないので、その場合に、ＰＣメールアドレスの新規登録を促す信号を携帯電話機１に送信し、携帯電話機１からＰＣメールアドレスが入力されて送信されると、それを受信して機体番号または携帯メールアドレスと関連付けてデータベース４内に登録するメールアドレス登録手段３４も備えている。
さらには、携帯電話機１から送信された機体番号、携帯メールアドレス、抽出された商品コード等を一時的に記憶したり、上記の作成又は更新されたユーザー専用のＷｅｂページを記憶しておく記憶手段３５、前記ユーザー専用のＷｅｂページのＵＲＬ情報をユーザーのＰＣメールアドレスに送信するためのメールを作成／送信したり、携帯電話機１からのメールを受信したりするメール送受信手段３６、外部との通信を行う通信手段３７、及び、広告主が（図示しない）端末から通信ネットワーク５を介してデータベース４に商品ＷｅｂページのＵＲＬ情報を登録するための商品ＵＲＬ登録手段３８を備えている。そして、これらの各手段３１〜３８を制御手段（ＣＰＵ、ＲＡＭ、ＲＯＭ等で構成される。）が所定のプログラムによって制御している。
なお、データベース４への商品ＷｅｂページのＵＲＬ情報の登録は、外部記録媒体（図示せず）に記憶させたものをサーバー３から読み込むことによって、データベース４に登録するようにしてもよいので、通信ネットワーク５を介して登録することは必須要件ではない。
【００１３】
サーバー３に接続されたデータベース４には、携帯電話機１固有の機体番号又は携帯電話機１の携帯メールアドレスとユーザーの会員ＩＤ（例えば登録順に追番号にしてもよい。）及びＰＣメールアドレスとが関連付けられてテーブル化されたユーザー登録データ４１と、商品コードと商品ＷｅｂページのＵＲＬ情報とが関連付けられてテーブル化された商品情報データ４２とが格納されている。さらに、図示されていないが、データベース４内にはユーザーのアクセス履歴がユーザーの会員ＩＤ、携帯メールアドレス若しくは機体番号、又はＰＣメールアドレスのいずれかと関連付けられて保存されている。こうすることにより、どのユーザーがどの商品広告に関心を示したかを後から知ることができる。
図３はユーザー登録データ（テーブル）の具体例を示すものである。これらは通信ネットワーク５を介して入力され、登録される。その手順は後述する。なお、会員ＩＤは新規登録時に発行されて登録される。登録順に追番号にするのが好ましいが、これに限定されるものではなく、ユニークなコードであれば何でもよい。
図４は商品情報データ（テーブル）の具体例を示すものである。商品コードと関連付けられた商品ＷｅｂページのＵＲＬ情報のほかに、商品の具体的内容を簡単に説明した商品概要も関連付けられて格納されている。商品のＵＲＬ情報だけでは（実際にアクセスしてみなければ）その商品の内容を把握することができないので、商品概要も併せて登録しておくことによって、ある特定のユーザーのアクセス履歴からそのユーザーのニーズの傾向が具体的に分かるようにするためである。
【００１４】
次に、上記構成における本願発明に係るシステムの動作を説明する。本発明の実施形態は、２次元コード（ＱＲコード）に含まれるデータ形式によって大きく二つに分けられる。
【００１５】
（第１の実施形態）
ＱＲコードに、商品コード（例えば、0123456）を一部に含むサーバー３のＵＲＬ情報が記憶されている場合である。すなわち、「http://www.qr-infosystem.com/0123456.html」をＱＲコード化した場合である。
図５のフローチャートに基づいて処理の流れを説明する。まず、携帯電話機１のカメラでＱＲコードを読み取ると、携帯電話機１のソフト（２次元コード読取機能付きのタイプには最初から内蔵されていることが多い。）が解析して、サーバー３のＵＲＬを反転表示する（ステップＳ１）。図８（Ａ）は表示の一例を示すものである。ユーザーが選択ボタンを押すと反転表示が解除され、図８（Ｂ）の状態になる。そこで「決定」を押すと図８（Ｃ）に移行し、選択ボタンを押して送信すると、サーバー３に接続される（ステップＳ２）。
そこで、サーバー３は携帯電話機１に対して機体番号を要求する（ステップＳ３）。携帯電話機の機体番号は、機体識別番号(IMEI)と呼ばれる各携帯電話機を一意に識別する番号であり、ネットワークから要求されると、携帯電話機によって自動的にその情報が送信されるようになっているものである。本発明に係るシステムでは、事前にユーザーの承認をとるようにしている。具体的には、サーバー３から携帯電話機１に対して図９のような画面が送られる。ユーザーが機体番号の送信を承認すると（ステップＳ４）、サーバーは携帯電話機１に対して改めて機体番号を要求し、携帯電話機１から自動的に送信される。機体番号（例えば、pwg0631594）を受け取ったサーバー３は、データベース４の中にその機体番号と関連付けられたＰＣメールアドレスがあるかどうかを検索・抽出する（ステップＳ５）。もし、ＰＣメールアドレスの登録がなければ、ＰＣメールアドレスの登録を要求する（ステップＳ６）。具体的には、サーバー３から携帯電話機１に対して図１０のような画面が送られる。ユーザーがＰＣメールアドレスを入力して送信すると（ステップＳ７）、送信されたＰＣメールアドレス（例えば、bogey@hatmail.ne.jp）を会員ＩＤ及び機体番号に関連付けて、データベース４のユーザー登録データ４１に書き込んで登録する（ステップＳ８、図３参照）。これは初回のみ行えばよい。なお、新規登録の場合は会員ＩＤが存在しないので、ＰＣメールアドレスをデータベースに登録する際に自動発行（追番で付与）するようになっている。
次に、ユーザーＷｅｂページ作成／更新手段３３がユーザーに固有の情報（例えば、機体番号、例：pwg0631594）を用いて、「pwg0631594.html」という名前のユーザーＷｅｂページを自動生成し、記憶手段３５の中にある「user」というフォルダの中に格納する（ステップＳ９）。そうすると、このユーザーＷｅｂページは、
http://www.qr-infosysytem.com/user/pwg0631594.html・・・（１）
というＵＲＬ情報を持つことになる。なお、機体番号の代わりに、会員ＩＤ(0000002)を利用した「0000002.html」というファイル名にしてもよい。
そうすると、このユーザーＷｅｂページは、
http://www.qr-infosysytem.com/user/0000002.html・・・（１）’
というＵＲＬ情報を持つことになる。
次に、携帯電話機１から送信されたサーバー３のＵＲＬ情報から商品コードを抽出する（ステップＳ１０）。具体的には、「http://www.qr-infosystem.com/0123456.html」の中のスラッシュ（/）より右側の部分（htmlを除く）を切り出して、商品コード（0123456）を抽出する。次に、抽出された商品コードに対応した商品ＷｅｂページのＵＲＬ情報をデータベース４の商品情報データ４２から検索・抽出する（ステップＳ１１）。
図４の例では「http://www.realestate.com/akasaka2.html」が抽出される。これを、ユーザーＷｅｂページ作成／更新手段３３が記憶手段３５の中にある上記ユーザーＷｅｂページに書き込み（２回目からは更新）、記憶する（ステップＳ１２）。
次に、メール送受信手段３６がユーザーの上記ＰＣメールアドレスに対して、上記ＵＲＬ情報（１）（又は（１）’）を知らせるための送信メールを自動作成し、送信する（ステップＳ１３）。
このメールを受信したユーザーが、送られたメールの本文に記載されているＵＲＬをクリックすると、パソコンに自分専用のＷｅｂページ（図１４参照）が表示され、この中の商品ＷｅｂページのＵＲＬ（５０）をクリックすることによって、その商品Ｗｅｂページを閲覧することができる。
なお、本発明においては、ユーザーのＰＣメールアドレスに送信されるメール本文はユーザー専用のＷｅｂページのＵＲＬ情報であり、これは毎回変わるものではない。従って、ユーザーによっては、一度受信してそのＵＲＬをブラウザの「お気に入り」に登録しておけば、ＱＲコードを読み取る度にサーバーからのメールを受信する必要がなくなる。
そこで、上記ステップＳ７において、２回目以降のメール送信不要の選択ができるようにするか、又は、ステップＳ１３において送信されるメール本文の中にメール配信停止用のＵＲＬを埋め込んでおくようにしてもよい。
【００１６】
（第２の実施形態−その１）
ＱＲコードに、商品コード（例えば、0123456）を一部に含むサーバー３のメールアドレスが記憶されている場合である。すなわち、「mailto:0123456@qr-infosystem.com」をＱＲコード化した場合である。メールの件名(subject)、本文(body)が無い空メールで、メールアドレスのユーザーネーム（＠の左側部分）が商品コードになっている形式である。
図６のフローチャートに基づいて処理の流れを説明する。まず、携帯電話機１でＱＲコードを読み取ると、携帯電話機１のファームウェアであるＱＲコード解析ソフトが起動し、コードを解析すると（ステップＳ２１）、サーバー３のメールアドレスを反転表示する。図１１（Ａ）は表示の一例を示すものである。ユーザーが選択ボタンを押すと、携帯電話機１に内蔵されているメーラーによって、サーバー３宛の送信メールが自動作成され、待機状態におかれる（ステップＳ２２）。すなわち、図１１（Ｂ）の状態になる。このとき、送信メールのヘッダフィールド（from）に発信者（送信元）のメールアドレス（ユーザーの携帯メールアドレス）が自動挿入される。
次に、ユーザーが「送信」ボタンを押すと（ステップＳ２３）、メールがサーバー３に送信される。メールを受信したサーバー３は、発信者の携帯メールアドレス（自動挿入されたもの。例えば、advance@codomo.ne.jp）をキーとして、データベースの中からＰＣメールアドレスを検索する（ステップＳ２４）。ＰＣメールアドレスが登録されていないときは、サーバー３から携帯メールアドレスに対して、ＰＣメールアドレス入力画面のＵＲＬを含むメールが返信される（ステップＳ２５）。ユーザーがＰＣメールアドレス入力画面（図１０）にアクセスしてＰＣメールアドレス（例えば、advance@patent.com）を入力すると（ステップＳ２６）、会員ＩＤ及び携帯メールアドレスと関連付けられてデータベースに登録される（ステップＳ２７、図３参照）。これは初回のみ行えばよい。なお、新規登録の場合は会員ＩＤが存在しないので、ＰＣメールアドレスをデータベースに登録する際に自動発行（追番で付与）するようになっている。
次に、ユーザーＷｅｂページ作成／更新手段３３がユーザーに固有の情報（例えば、会員ＩＤ、例：0000001）を用いて、「0000001.html」という名前のユーザーＷｅｂページを自動生成し、記憶手段３５の中にある「user」というフォルダの中に格納する（ステップＳ２８）。そうすると、このユーザーＷｅｂページは、
http://www.qr-infosysytem.com/user/0000001.html・・・（２）
というＵＲＬ情報を持つことになる。
次に、携帯電話機１から送信されたサーバー３のメールアドレスから商品コードを抽出する（ステップＳ２９）。具体的には、「0123456@qr-infosystem.com」の中のユーザーネーム（@より左側の部分）を切り出して、商品コード（0123456）を抽出する。次に、抽出された商品コードに対応した商品ＷｅｂページのＵＲＬ情報をデータベース４の商品情報データ４２から検索・抽出する（ステップＳ３０）。
図４の例では「http://www.realestate.com/akasaka2.html」が抽出される。これを、ユーザーＷｅｂページ作成／更新手段３３が記憶手段３５の中にある上記ユーザーＷｅｂページに書き込み（２回目からは更新）、記憶する（ステップＳ３１）。
次に、メール送受信手段３６がユーザーの上記ＰＣメールアドレス（advance@patent.com）に対して、上記ＵＲＬ情報（２）を知らせるための送信メールを自動作成し、送信する（ステップＳ３２）。
このメールを受信したユーザーが、送られたメールの本文に記載されているＵＲＬをクリックすると、パソコンに自分専用のＷｅｂページ（図１４参照）が表示され、この中の商品ＷｅｂページのＵＲＬ（５０）をクリックすることによって、その商品Ｗｅｂページを閲覧することができる。
なお、本発明においては、ユーザーのＰＣメールアドレスに送信されるメール本文はユーザー専用のＷｅｂページのＵＲＬ情報であり、これは毎回変わるものではない。従って、ユーザーによっては、一度受信してそのＵＲＬをブラウザの「お気に入り」に登録しておけば、ＱＲコードを読み取る度にサーバーからのメールを受信する必要がなくなる。
そこで、上記ステップＳ２６において、２回目以降のメール送信不要の選択ができるようにするか、又は、ステップＳ３２において送信されるメール本文の中にメール配信停止用のＵＲＬを埋め込んでおくようにしてもよい。
【００１７】
（第２の実施形態−その２）
本例は、商品コードをメールアドレスの中に含ませるのではなく、メール本文（body）の中に記載する場合である。すなわち、ＱＲコードに記憶されるデータは次の通りである。
mailto:info@qr-infosystem.com（サーバーのメールアドレス）
subject:URL_Transfer（任意：省略可）
body:0123456（商品コード）
携帯電話機１でＱＲコードを読み取ると、携帯電話機１のファームウェアであるＱＲコード解析ソフトが起動し、コードを解析すると、サーバー３のメールアドレス等を反転表示する。図１２（Ａ）は表示の一例を示すものである。ユーザーが選択ボタンを押すと、携帯電話機１に内蔵されているメーラーによって、サーバー３宛の送信メールが自動作成され、待機状態におかれる。すなわち、図１２（Ｂ）の状態になる。このとき、送信メールのヘッダフィールド（from）に発信者（送信元）のメールアドレス（ユーザーの携帯メールアドレス）が自動挿入される。
図６のフローチャートにおいて、「第２の実施形態−その１」と異なる箇所は、ステップＳ２９の商品コードの抽出方法のみである。「第２の実施形態−その１」においては、メールアドレスの中から抽出したが、本例においては、メール本文（body）の中に直接商品コードが書かれているので、それを取り出せばよい。その他は同じである。
【００１８】
メール方式（第２の実施形態）の利点は、携帯電話機１の機種変更があった場合（機体番号は変わる）でも、（携帯メールアドレスの変更がなければ）そのまま継続して利用できることである。
また、「第２の実施形態−その２」のように、本文（body）に商品コードを記載すれば、メール送信時のエラーや警告（「本文が入力されておりません」等）が発せられる確率が低くなるという効果も得られる。
【００１９】
（第３の実施形態）
これは上記第２の実施形態の変形例に当たるものであり、ユーザーＷｅｂページのＵＲＬ情報をサーバー３からユーザーのＰＣメールアドレスにメール送信する代わりに、サーバー３からユーザーの携帯メールアドレスに対してメール送信し、ユーザー自身で自分のＰＣメールアドレスに転送するか、或いは、携帯電話機に送られたメール本文に書かれているユーザーＷｅｂページのＵＲＬ情報を目で読み取って、パソコンのキーボードから前記ＵＲＬを直接入力することによって、自分専用のＷｅｂページ（図１４参照）にアクセスするものである。従って、ユーザーに対してＰＣメールアドレスの入力（登録）を要求する必要がない。
図７はその手順を示すフローチャートであるが、図６のフローチャートからＰＣメールアドレスの登録要求（ステップＳ２５）及びＰＣメールアドレスの入力（ステップＳ２６）を削除し、ステップＳ３２におけるＷｅｂページＵＲＬの送信先をＰＣメールアドレスから携帯電話の送信元メールアドレスに変更している点が異なるのみである。従って、その他の点についての説明は省略する。
【００２０】
本実施形態においては、携帯通信端末が携帯電話機である場合を例として説明したが、２次元コードを読み取る手段が内蔵されているものであれば、ＰＤＡでもよい。
【００２１】
なお、本実施形態において説明のために使用した携帯電話の表示画面（図８〜１２）は、あくまでも例を示したものに過ぎず、これに限定されるものではない。
【図面の簡単な説明】
【００２２】
【図１】本発明に係るＵＲＬ情報提供システムの構成を示す概略図である。
【図２】サーバーの構成を示すブロック図である。
【図３】ユーザー登録データの例を示す図である。
【図４】商品情報データの例を示す図である。
【図５】第１実施形態のフローチャートである。
【図６】第２実施形態のフローチャートである。
【図７】第３実施形態のフローチャートである。
【図８】第１実施形態におけるＱＲコード読み取り画面の一例を示すものである。
【図９】機体番号要求画面の一例を示すものである。
【図１０】ＰＣメールアドレス入力画面の一例を示すものである。
【図１１】第２実施形態（その１）におけるＱＲコード読み取り画面の一例を示すものである。
【図１２】第２実施形態（その２）におけるＱＲコード読み取り画面の一例を示すものである。
【図１３】ＱＲコードの外観を示すものである。
【図１４】ユーザーＷｅｂページの表示画面の一例を示すものである。
【符号の説明】
【００２３】
１  携帯電話機
３  サーバー
４  データベース
５  通信ネットワーク
６  パソコン
３１  商品コード抽出手段
３２  検索手段
３３  ユーザーＷｅｂページ作成／更新手段
３４  メールアドレス登録手段
３５  記憶手段
３６  メール送受信手段
３７  通信手段
４１  ユーザー登録データ
４２  商品情報データ
【図１】
0004767095.tif 000002
【図２】
0004767095.tif 000003
【図３】
0004767095.tif 000004
【図４】
0004767095.tif 000005
【図５】
0004767095.tif 000006
【図６】
0004767095.tif 000007
【図７】
0004767095.tif 000008
【図８】
0004767095.tif 000009
【図９】
0004767095.tif 000010
【図１０】
0004767095.tif 000011
【図１１】
0004767095.tif 000012
【図１２】
0004767095.tif 000013
【図１３】
0004767095.tif 000014
【図１４】
0004767095.tif 000015